(57)【要約】【課題】  ユーザにより任意のスクリーンが設定された場合であっても、ユーザの所望する色合いを再現する。【解決手段】  ユーザ任意スクリーンを設定可能な画像形成装置１００であって、設定されたユーザ任意スクリーンを検出する検出手段３３−１と、ユーザ任意スクリーンの検出に応じて、入出力特性補正機能部３３−３の処理を用いてユーザ任意スクリーンの設定時の入出力特性を算出させる入出力特性算出制御手段３３−２と、算出された入出力特性に基づいて、ユーザ任意スクリーンの設定時用のガンマ補正データを取得するガンマ補正データ取得手段３３−３ｇと、既存のガンマ補正データに替えて、取得されたガンマ補正データを入出力特性のガンマ補正処理用の補正データとして設定するガンマ補正データ更新手段３３−４と、更新されたガンマ補正データにより入出力特性を補正する補正手段３３−３ｈとを備えた。【選択図】  図２
2006019876.tif 000002
【特許請求の範囲】
【請求項１】
ユーザ任意スクリーンを設定可能な画像形成装置であって、
設定された前記ユーザ任意スクリーンを検出する検出手段と、
前記ユーザ任意スクリーンの検出に応じて、入出力特性補正機能部の処理を用いて前記ユーザ任意スクリーンの設定時の入出力特性を算出させる入出力特性算出制御手段と、
算出された前記入出力特性に基づいて、前記ユーザ任意スクリーンの設定時用のガンマ補正データを取得するガンマ補正データ取得手段と、
既存のガンマ補正データに替えて、前記ガンマ補正データ取得手段により取得されたガンマ補正データを、前記入出力特性のガンマ補正処理用の補正データとして設定するガンマ補正データ更新手段と、
更新された前記ガンマ補正データにより前記入出力特性を補正する補正手段とを備えた
ことを特徴とする画像形成装置。
【請求項２】
請求項１に記載の画像形成装置において、
前記入出力特性補正機能部が、
前記入出力特性算出制御手段による制御に応じて、所定の入出力素特性測定用のガンマ補正データを前記補正処理用データとして設定するガンマ補正データ設定手段と、
前記ユーザ任意スクリーンを用いて、段階的に濃度を変化させた複数のカラーパッチ画像データを作成するパッチ作成手段と、
前記ガンマ補正データ設定手段により設定された補正処理用データに基づいて、前記複数のカラーパッチ画像を現像させるパッチ現像指示手段と、
前記複数のカラーパッチ画像データと、前記パッチ現像指示手段による指示により得られた複数のインク画像データとに基づいて、前記ユーザ任意スクリーンの設定時の入出力素特性を算出する入出力特性算出手段とを有し、
前記ガンマ補正データ取得手段は、算出された前記入出力素特性と、予め設定されている目標入出力特性とに基づいて、前記ユーザ任意スクリーンの設定時用のガンマ補正データを算出する
ことを特徴とする画像形成装置。
【請求項３】
請求項２に記載の画像形成装置において、
前記ガンマ補正データ設定手段は、前記ガンマ補正データを設定する際に、前記既存のガンマ補正データを廃棄又は退避させる
ことを特徴とする画像形成装置。
【請求項４】
請求項３に記載の画像形成装置において、
前記ガンマ補正データ設定手段が、前記ユーザ任意スクリーンの設定解除に応じて、退避させていた前記ガンマ補正データを復帰させる
ことを特徴とする画像形成装置。
【請求項５】
請求項１〜４のいずれか一項に記載の画像形成装置において、
前記ユーザ任意スクリーンの情報は、印刷コマンドに含まれ、
前記検出手段が、前記印刷コマンドをトリガとして設定された前記ユーザ任意スクリーンを検出する
ことを特徴とする画像形成装置。
【請求項６】
ユーザ任意スクリーンを設定可能な画像形成装置の制御プログラムであって、
設定された前記ユーザ任意スクリーンを検出する検出ステップと、
前記ユーザ任意スクリーンの検出に応じて、入出力特性補正機能部の処理を用いて前記ユーザ任意スクリーンの設定時の入出力特性を算出させる入出力特性算出制御ステップと、
算出された前記入出力特性に基づいて、前記ユーザ任意スクリーンの設定時用のガンマ補正データを取得するガンマ補正データ取得ステップと、
既存のガンマ補正データに替えて、前記ガンマ補正データ取得ステップで取得されたガンマ補正データを、前記入出力特性のガンマ補正処理用の補正データとして設定するガンマ補正データ更新ステップと、
更新された前記ガンマ補正データにより前記入出力特性を補正する補正ステップと
を画像形成装置に実行させる画像形成装置の制御プログラム。
【発明の詳細な説明】
【技術分野】
【０００１】
本発明は、プリンタ，コピー機，スキャナ，ファクシミリ，複合機等に代表される画像形成装置、及びその制御プログラムに関し、より詳しくは、印字処理により再現された画像の色合いを調整する画像形成装置、及びその制御プログラムに関する。
【背景技術】
【０００２】
プリンタ，コピー機，スキャナ，ファクシミリ，複合機（マルチファンクションペリフェラル）等に代表される画像形成装置においてカラー画像を印刷する場合、シアン（Ｃ）、マゼンタ（Ｍ）、イエロー（Ｙ）、ブラック（Ｋ）の４色インクの着色剤を用いるのが通常である。理論的に、この４色インクの混合比（濃度比）を調節することであらゆる色彩が表現できる。従って、デジタルカラー画像データは、実質的にあらゆる色彩を表現するために、各原色の濃度を例えば８ビットワードを用いて多階調に（例えば２５６階調）に表現している。これに対し、画像形成装置は、着色剤の濃度それ自体を変化させることができないため、別の方法として、用紙上に形成する着色剤の微細な点（ドット）の大きさ（一定面積内での面積密度）を調節することで、擬似的に各着色剤の濃度を変化させている。
【０００３】
そこで、画像形成の過程では、多階調画像データが示す各画素の濃度値を着色剤のドット情報に変換するためにハーフトーニング技術が用いられる。ハーフトーニング技術には種々のものがあるが、その一つに、種々の階調に対応した種々のドットパターン（スクリーン）を表わした画素値データを予めメモリに記憶させておき、元の画素値に応答して適切なスクリーンの画素値データを選択的に読み出して出力するという方法がある（以下、この方法を「スクリーン法」と呼ぶ。）。
なお、予めメモリに記憶されているスクリーン（以下、これを「レディメードスクリーン」と呼ぶ。）を使用する場合には、画像形成装置は、そのレディメードスクリーン使用条件下における画像形成装置固有の入出力特性（一般に、主に現像剤の帯電特性により決定される現像性と、像担持体の表層に形成した感光層の感度特性とにより表現される）を考慮した階調補正処理を、画像データに施すことにより、ユーザ所望の色合いを再現した印刷物の提供を可能としていた（例えば、特許文献１参照。）。
【０００４】
ここで、従来の画像形成装置で用いられているスクリーン法の原理について簡単に説明する。
図６は、従来の画像形成装置における、５×５画素スクリーンを示したものである。
図６において、太線で囲んだ５×５画素スクリーン６００にはハッチングで示した成長核としての５個の画素６０１が存在する。５×５画素スクリーン６００に対応する画像領域の濃度が０％であるときは、成長核６０１を含めて全ての画素が空白であるが、濃度が２０％程度になると、図示したように、まず５個の成長核６０１の箇所にのみドットが形成される。更に、濃度が４０％、６０％、８０％、１００％と上がって行くと、図６の左端部分に矢印で示すように、番号＃１で付した成長核６０１の周りの画素へ、番号＃２、＃３、＃４、＃５の順序でドットが追加されて行く。なお、ここでは説明の簡略化のために、画素単位の大雑把な成長を例示しているが、実用のスクリーンでは１画素より小さい単位でより精細にドット成長を行うことができる。このようなドット成長において、図示したように５×５画素スクリーン６００内に５個程度の成長核６０１が存在すれば、５×５画素スクリーン６００に期待し得るハーフトーニング効果が十分に得られる（例えば、特許文献２参照。）。
【０００５】
ところが、上述のように予めメモリに記憶されたレディメードスクリーンから選択したスクリーンを使用するのでは、ユーザが所望する解像度が得られない場合もあった。そこで、このような事態に対応すべく、予めメモリに記憶されているレディメードスクリーンとは別に、ユーザにより用意されたユーザ任意スクリーンを使用して、スクリーン法によるハーフトーン効果を得る画像形成装置も提案されている。
【特許文献１】特開平７−１３７３４６号公報（第２−４頁、第３３図）
【特許文献２】特開２０００−２２９５３号公報（第４頁、第２図）
【発明の開示】
【発明が解決しようとする課題】
【０００６】
しかしながら、ユーザ任意スクリーンを使用する従来の画像形成装置は、そのユーザ任意スクリーン使用条件下における画像形成装置固有の入出力特性を把握、又は予測することができないため、画像データに何ら処理を施さずに印字処理を行ったり、レディメードスクリーンを使用する場合と同様の階調補正処理を施していた。
したがって、ユーザ任意スクリーンを使用した場合には、画像データに適切な階調補正処理が施されず、ユーザの所望する色合いを表現した印刷物が得られないといった問題があった。
また、たとえ階調補正を行うとしても、ユーザ自らが色調整する必要が生じ、容易には所望の色合いを再現できないといった問題があった。
【０００７】
本発明は、以上のような問題を解決するためになされたものであり、ユーザにより任意のスクリーンが設定された場合であっても、ユーザの所望する色合いを再現することのできる画像形成装置、及びその制御プログラムの提供を目的とする。
【課題を解決するための手段】
【０００８】
上記目的を達成するため、本発明の画像形成装置は、ユーザ任意スクリーンを設定可能な画像形成装置であって、設定されたユーザ任意スクリーンを検出する検出手段と、ユーザ任意スクリーンの検出に応じて、入出力特性補正機能部の処理を用いてユーザ任意スクリーンの設定時の入出力特性を算出させる入出力特性算出制御手段と、算出された入出力特性に基づいて、ユーザ任意スクリーンの設定時用のガンマ補正データを取得するガンマ補正データ取得手段と、既存のガンマ補正データに替えて、ガンマ補正データ取得手段により取得されたガンマ補正データを、入出力特性のガンマ補正処理用の補正データとして設定するガンマ補正データ更新手段と、更新されたガンマ補正データにより入出力特性を補正する補正手段とを備えた構成としてある。
【０００９】
画像形成装置をこのような構成にすれば、ユーザ任意スクリーンが検出されると、入出力特性補正機能部による処理を用いてユーザ任意スクリーンの設定時の入出力特性が算出され、さらに、この入出力特性に基づいてユーザ任意スクリーンの設定時用のガンマ補正データを取得することができる。また、ガンマ補正データ更新手段が、既存のガンマ補正データに替えて、取得したガンマ補正データを、入出力特性のガンマ補正処理用の補正データとして設定するため、補正手段は、ガンマ補正データ更新手段により更新された補正処理用データに基づいて入出力特性を補正することが可能となる。
このため、ユーザ任意スクリーンが設定された場合には、そのユーザ任意スクリーンに適応した入出力特性が得られ、印字処理を行えばユーザの所望する色合いを表現した印刷物が得られる。
【００１０】
また、本発明の画像形成装置は、入出力特性補正機能部が、入出力特性算出制御手段による制御に応じて、所定の入出力素特性測定用のガンマ補正データを補正処理用データとして設定するガンマ補正データ設定手段と、ユーザ任意スクリーンを用いて、段階的に濃度を変化させた複数のカラーパッチ画像データを作成するパッチ作成手段と、ガンマ補正データ設定手段により設定された補正処理用データに基づいて、複数のカラーパッチ画像を現像させるパッチ現像指示手段と、複数のカラーパッチ画像データと、パッチ現像指示手段による指示により得られた複数のインク画像データとに基づいて、ユーザ任意スクリーンの設定時の入出力素特性を算出する入出力特性算出手段とを有し、ガンマ補正データ取得手段は、算出された入出力素特性と、予め設定されている目標入出力特性とに基づいて、ユーザ任意スクリーンの設定時用のガンマ補正データを算出する構成としてある。
【００１１】
画像形成装置をこのような構成にすれば、ガンマ補正データ設定手段が、所定の入出力素特性測定用のガンマ補正データを補正処理用データとして設定し、現像手段が、この設定によりユーザ任意スクリーンを用いて段階的に濃度を変化させた複数のカラーパッチ画像を現像するので、入出力特性算出手段は、現像前のカラーパッチ画像データと、現像後のインク画像データとに基づいてユーザ任意スクリーンの設定時の入出力素特性を取得することができる。これにより、ガンマ補正データ取得手段は、この入出力素特性と予め設定されている目標入出力特性とを比較して、ユーザ任意スクリーンの設定時用のガンマ補正データを算出することができる。
したがって、上述のように、ガンマ補正データ取得手段が算出したガンマ補正データは、入出力特性補正機能部におけるガンマ補正処理の補正データとして設定することができる。
【００１２】
また、本発明の画像形成装置は、ガンマ補正データ設定手段は、ガンマ補正データを設定する際に、既存のガンマ補正データを廃棄又は退避させる構成としてある。
【００１３】
画像形成装置をこのような構成にすれば、ガンマ補正データ設定手段は、既存のガンマ補正データを廃棄又は退避させるので、新たなガンマ補正データを設定することができる。
このため、ガンマ補正データ設定手段は、新たなガンマ補正データによる補正処理を可能に、各種のガンマ補正データを設定することができる。
【００１４】
また、本発明の画像形成装置は、ガンマ補正データ設定手段が、ユーザ任意スクリーンの設定解除に応じて、退避させていたガンマ補正データを復帰させる構成としてある。
【００１５】
画像形成装置をこのような構成にすれば、ガンマ補正データ設定手段は、ユーザ任意スクリーン以外の、例えばレディメードスクリーンが設定されたことが検出された場合に、廃棄又は退避させていた既存のガンマ補正データを復帰させることができる。
このため、ユーザ任意スクリーンに適応した入出力特性を、既存のガンマ補正データに復帰させることにより、ユーザ任意スクリーン以外のスクリーンに対応した入出力特性を逸早く得ることができ、かかるスクリーン設定条件下においても、印字処理時にはユーザの所望する適切な色合いを表現した印刷物を提供することができる。
【００１６】
また、本発明の画像形成装置は、ユーザ任意スクリーンの情報は、印刷コマンドに含まれ、検出手段が、印刷コマンドをトリガとして設定されたユーザ任意スクリーンを検出する構成としてある。
【００１７】
画像形成装置をこのような構成にすれば、ユーザ任意スクリーンの情報が印刷コマンドに含まれているので、印刷実行処理時にユーザ任意スクリーンにスクリーンを切り替えるとともに、そのユーザ任意スクリーンに適応した入出力特性を設定することができる。
このため、印刷実行処理と別個にスクリーンの設定を行う必要はなく、一連の印刷コマンドの設定によって、ユーザ所望のスクリーンによる適切な印字結果を得ることができる。
【００１８】
また、本発明の画像形成装置の制御プログラムは、ユーザ任意スクリーンを設定可能な画像形成装置の制御プログラムであって、設定されたユーザ任意スクリーンを検出する検出ステップと、ユーザ任意スクリーンの検出に応じて、入出力特性補正機能部の処理を用いてユーザ任意スクリーンの設定時の入出力特性を算出させる入出力特性算出制御ステップと、算出された入出力特性に基づいて、ユーザ任意スクリーンの設定時用のガンマ補正データを取得するガンマ補正データ取得ステップと、既存のガンマ補正データに替えて、ガンマ補正データ取得ステップで取得されたガンマ補正データを、入出力特性のガンマ補正処理用の補正データとして設定するガンマ補正データ更新ステップと、更新されたガンマ補正データにより入出力特性を補正する補正ステップとを画像形成装置に実行させる制御プログラムとしてある。
【００１９】
画像形成装置の制御プログラムをこのようなプログラムにすれば、例えば、制御プログラムを記憶させた記録媒体をコンピュータを搭載した画像形成装置に直接装着して当該コンピュータに読み込ませることにより、ユーザ任意スクリーンが検出されると、入出力特性補正機能部による処理を用いてユーザ任意スクリーンの設定時の入出力特性が算出され、さらに、この入出力特性に基づいてユーザ任意スクリーンの設定時用のガンマ補正データを取得することができる。また、ガンマ補正データ更新ステップにおいて、既存のガンマ補正データに替えて、取得したガンマ補正データを、入出力特性のガンマ補正処理用の補正データとして設定するため、補正ステップでは、ガンマ補正データ更新ステップで更新された補正処理用データに基づいて入出力特性を補正することが可能となる。
このため、ユーザ任意スクリーンが設定された場合には、そのユーザ任意スクリーンに適応した入出力特性が得られ、印字処理を行えばユーザの所望する色合いを表現した印刷物が得られる。
【発明の効果】
【００２０】
本発明によれば、ユーザ任意スクリーンが検出されると、入出力特性補正機能部による処理を用いて、ユーザ任意スクリーンの設定時の入出力特性を算出し、この入出力特性に基づいてガンマ補正データを取得することができるので、このガンマ補正データにより入出力特性を補正することができる。これにより、ユーザ任意スクリーンが設定された場合には、そのユーザ任意スクリーンに適応した入出力特性が得られ、印字処理を行えばユーザの所望する色合いを表現した印刷物を提供することができる。
【発明を実施するための最良の形態】
【００２１】
以下、本発明の実施形態について図面を参照して説明する。
本発明の実施形態に係る画像形成装置について、図１を参照して説明する。
図１は、本発明の実施形態に係る画像形成装置の全体構成図である。
ただし、図１に示す画像形成装置は具体例としてコピー機の構成を示しているものの、本実施形態の画像形成装置はコピー機に限るものではなく、例えば、プリンタ，ファクシミリ，スキャナ，デジタル複合装置（マルチファンクションペリフェラル（ＭＦＰ））等を含む。
【００２２】
なお、以下の実施形態における画像形成装置の各処理（例えば、入出力特性の補正処理など）は、プログラムに制御されたコンピュータにより実行することができる。制御プログラムは、例えば、記録媒体により提供される。記録媒体としては、たとえば、磁気ディスク，光ディスク，半導体メモリ，その他コンピュータで読み取り可能な任意の手段を使用することができる。
また、記録媒体に記録されたプログラムは、記録媒体を直接コンピュータに装着して当該コンピュータに読み込ませることができ、また、通信回線を介してコンピュータに読み込ませるようにしても良い。
【００２３】
図１に示すように、画像形成装置１００は、画像読取手段１０と、操作パネル２０と、制御手段３０と、エンジン部４０とを有している。
画像読取手段１０は、例えば、スキャナ等で構成されており、原稿から画像情報を読み取ると、この画像情報に基づいて画像データを生成して出力する。この出力された画像データは、制御手段３０内の画像処理部３３へ送られる。
操作パネル２０は、入力手段２１と、表示手段２２とを含み、入出力が可能な液晶タッチパネル等で構成されている。なお、これら入力手段２１と表示手段２２は、別個独立した構成とすることもできる。
【００２４】
入力手段２１は、画像形成装置１００で行われる印刷処理の各種設定を行う。例えば、入力手段２１は、スクリーン形状や解像度の指定を行う。
なお、本実施形態においては、スクリーン形状は、予め定まった一又は二以上の「レディメードスクリーン」からの選択が可能である他、ユーザが任意に指定する「ユーザ任意スクリーン」の設定入力を行うことができる。
また、これらスクリーンの設定情報は、印刷要求時に入力手段２１から出力される印刷コマンドに含ませることができる。
【００２５】
表示手段２２は、例えば、液晶表示装置，又はブラウン管表示装置等で構成されており、表示制御部３２から送られてきた情報データを画面表示している。
画面表示されるデータの例としては、例えば、印刷コマンドの指定を行う「印刷コマンド設定画面」などがある。
なお、スクリーン指定に関しては、予め設定されている複数のレディメードスクリーンのいずれかを選択指定、又はユーザが任意にスクリーン形状，角度等のスクリーン情報を設定するユーザ任意スクリーンを入力可能に画面表示される。
【００２６】
制御手段３０は、画像形成装置１００の機能を統括制御する装置であり、ＣＰＵ，メモリ等により構成され、入力制御部３１と、表示制御部３２と、画像処理部３３と、記憶部３４、エンジン制御部３５とを備えている。
入力制御部３１は、入力手段２１で設定入されたデータを受け取る。これにより、制御手段３０は、その設定内容に基づいて各種機能を制御する。
表示制御部３２は、入力手段２１からの入力データに応じて、制御手段３０に内蔵されている所定のアプリケーションに基づき指定された表示データを表示手段２２へ送り、表示させる。
【００２７】
画像処理部３３は、画像読取手段１０により読み取られた画像データに基づく画像処理を行い、ここで得られた描画データをエンジン制御部３５を介してエンジン部４０へ出力する。また、本実施形態においては、この画像処理部３３において、スクリーン形状に応じた適切な補正処理を実行することにより目標とする入出力特性が得られるように画像処理を行っている。
図２は、本実施形態に係る画像形成装置の画像処理部の内部構成を示したブロック図である。
図２に示すように、画像処理部３３は、ユーザ任意スクリーン検出部３３−１，入出力特性算出制御部３３−２，入出力特性補正機能部３３−３，ガンマ補正データ更新部３３−４を有している。
【００２８】
ユーザ任意スクリーン検出部（検出手段）３３−１は、印刷コマンドをトリガとして設定されたユーザ任意スクリーンを検出する。すなわち、入力手段２１から印刷コマンドが入力されると、その印刷コマンドに含まれるスクリーン情報を検出する。また、ユーザ任意スクリーン検出部３３−１はユーザ任意スクリーンを検出すると、そのスクリーン情報を入出力特性算出制御部３３−２へ出力する。
入出力特性算出制御部（入出力特性算出制御手段）３３−２は、ユーザ任意スクリーン検出部３３−１からのスクリーン情報を受けると、このスクリーン情報とともに入出力特性算出指令を入出力特性補正機能部３３−３に出力する。
【００２９】
入出力特性補正機能部３３−３は、入出力特性算出制御部３３−２から出力された入出力特性算出指令に応じて、ユーザにより任意に入力されたスクリーン（ユーザ任意スクリーン）の設定時の入出力特性を感光ドラム４２上に形成されたトナー像のインク画像を測定することにより算出し、ガンマ補正データを取得する。これにより、入出力特性補正機能部３３−３は、入出力特性をガンマ補正処理している。
なお、この入出力特性補正機能部３３−３は、本来的には、画像読取手段１０が読み取り、画像処理部３３に入力されてきた画像データをデータ変換したときの入出力特性を、種々の設定条件に応じた補正データによりキャリブレーション処理を実行し、良好な出力画像を得ようとするものである。
【００３０】
また、入出力特性補正機能部３３−３は、スクリーン構造解析・判定部３３−３ａ，スクリーン設定部３３−３ｂ，ガンマ補正データ設定部３３−３ｃ，パッチ作成部３３−３ｄ，パッチ現像指示部３３−３ｅ，入出力特性把握演算部３３−３ｆ，ガンマ補正データ取得部３３−３ｇ，補正処理部３３−３ｈを有している。
スクリーン構造解析・判定部３３−３ａは、入出力特性算出制御部３３−２から入力されたスクリーン情報を読み取って、スクリーン形状，角度等のユーザ任意スクリーンの素性を解析し、この解析したスクリーン素性情報をスクリーン設定部３３−３ｂ、及びガンマ補正データ設定部３３−３ｃに出力する。
また、このスクリーン構造解析・判定部３３−３ａは、レディメードスクリーンであるか否かの判断、現行設定の素性把握、印刷コマンドとして入力された画像処理部３３への要求がユーザスクリーンの更新要求であるのか、或いはキャリブレーション処理の実行要求であるのかを判定する機能を有している。
【００３１】
スクリーン設定部３３−３ｂは、入力されたスクリーン素性情報に基づいてユーザにより任意に設定されたユーザ任意スクリーンを設定する。
ガンマ補正データ設定部（ガンマ補正データ設定手段）３３−３ｃは、スクリーン構造解析・判定部３３−３ａからのスクリーン素性情報の示すスクリーンがユーザ任意スクリーンである場合には、所定の素特性測定用のガンマ補正データを後述する記憶部３４から読み出して、入出力特性補正機能部３３−３における補正処理の補正処理用データとして設定する。また、このガンマ補正データ設定部３３−３ｃは、ユーザ任意スクリーンに限らず、種々のレディメードスクリーンに対応したレディメードスクリーン用ガンマ補正データも設定することができる。
【００３２】
また、ガンマ補正データ設定部３３−３ｃは、ガンマ補正データを設定する際に、既存のガンマ補正データを廃棄又は記憶部３４に退避させる。
さらに、ガンマ補正データ設定部３３−３ｃは、記憶部３４に既存のガンマ補正データを退避させていた場合には、ユーザ任意スクリーンの設定解除に応じて、退避させていた既存のガンマ補正データを復帰させる。
【００３３】
パッチ作成部（パッチ作成手段）３３−３ｄは、スクリーン設定部３３−３ｂにより設定されたユーザ任意スクリーンを用いて、段階的に濃度を変化させた複数のカラーパッチ画像データを作成する。
パッチ現像指示部（パッチ現像指示手段）３３−３ｅは、ガンマ補正データ設定部３３−３ｃにより設定された補正処理用データに基づいて、パッチ作成部３３−３ｄにより作成された複数のカラーパッチ画像データの現像処理を後述するエンジン部４０内の現像部４１に指示する。また、パッチ現像指示部３３−３ｅは現像されたインク画像をトナーセンサ４３により読み取らせ、複数のカラーパッチに対応した複数のインク画像データを取得する。
【００３４】
入出力特性把握演算部（入出力特性算出手段）３３−３ｆは、パッチ作成部３３−３ｂにより作成された複数のカラーパッチ画像データと、その複数のカラーパッチ画像をパッチ現像指示部３３−３ｅの指示により現像した複数のインク画像データとを読み取って、ユーザ任意スクリーン設定時の入出力素特性を取得する。
ここで、入出力素特性を得るために使用される素特性測定用ガンマ補正データは、入力値と出力値が線形の関係にあるテーブルからなる。すなわち、例えば、入力値が０，１，２，・・・，２５４，２５５であれば、対応する出力値も０，１，２，・・・，２５４，２５５となっている。ただし、これは数値的に線形であり、濃度的に線形になっている訳ではない。
【００３５】
ガンマ補正データ取得部（ガンマ補正データ取得手段）３３−３ｇは、入出力特性把握演算部３３−３ｆにより取得された入出力素特性に基づいてガンマ補正データを算出する。すなわち、入出力特性把握演算部３３−３は、素特性測定用ガンマ補正データを設定した状態で作成されたカラーパッチ画像データを現像し、これにより得られたインク画像データを測定すると、入力に対して濃度的に非線形な出力特性を得る。このため、ガンマ補正データ取得部３３−３ｇは、この濃度的な非線形特性が濃度的に線形になるようにテーブル内の順序を入れ替えて作成することにより素特性を濃度的に所望の形状に補正するガンマ補正データを得る。
【００３６】
補正処理部（補正手段）３３−３ｈは、後述するガンマ補正データ更新部３３−４により更新されたガンマ補正データにより入出力特性を補正する。
なお、この補正処理部３３−３ｈは、キャリブレーション時には、現在設定されているスクリーン又はレディメードスクリーン用の「入出力特性の補正処理用データ」を更に補正処理する。
【００３７】
ガンマ補正データ更新部（ガンマ補正データ更新手段）３３−４は、既存のガンマ補正データに替えて、入出力特性算出制御部３３−２の制御によりガンマ補正データ取得部３３−３ｇにより算出されたガンマ補正データを、入出力特性補正機能部３３−３によるガンマ補正処理の補正処理用データとして設定する。
【００３８】
記憶部３４は、メモリ等で構成され、入出力特性補正機能部３３−３のガンマ補正データ設定部３３−３ｃにより選択可能に、複数種別のスクリーンに対応したガンマ補正データが記憶されている。
記憶部３４に記憶されているデータとしては、レディメードスクリーン（非ユーザ定義スクリーン）使用時に選択されるレディメードスクリーン用のガンマ補正データ、ユーザ任意スクリーン設定時の入出力素特性を測定するときに選択される素特性測定用ガンマ補正データ（非ユーザ定義又はユーザ定義のスクリーンに関係なく設定は可能である）、レディメードスクリーンにてパッチ測定した結果に基づき演算されたユーザ任意スクリーン用ガンマ補正データがある。
【００３９】
エンジン制御部３５は、画像処理部３３により画像処理された描画データをエンジン部４０へ出力し、印刷処理の実行指示を出力している。
エンジン部４０は、エンジン制御部３５から描画データが入力されると、そのデータに基づく画像の印刷を行う装置であり、現像部４１，感光ドラム（担持体）４２，トナーセンサ４３を有している。
現像部４１は、ガンマ補正データ設定部３３−３ｃにより設定された補正処理用データに基づいて、パッチ作成部３３−３ｄにより作成された複数のカラーパッチ画像データの現像処理を実行する。
感光ドラム（担持体）４２は、エンジン制御部３５による駆動制御によって回転駆動し、現像部４１により可視化されたカラーパッチ画像のトナー像を担持する。
トナーセンサ４３は、感光ドラム４２付近に対面する形で備えられ、感光ドラム４２上に形成されたトナー画像を読み取る。なお、感光ドラム４２は、上述のようにエンジン制御部３５により回転駆動されているため、トナーセンサ４３は固定位置から感光ドラム４３の全周に渡って形成されたトナー画像を読み取ることができる。
【００４０】
ここで、エンジン部４０において、画像処理部３３から出力された描画データに基づいて印刷画像を得るプロセスについて簡単に説明する。エンジン部４０では、まず図示しない帯電器で感光ドラムを帯電させ（帯電プロセス）、描画データに基づいて書き込み光により感光ドラム４２上に静電潜像を形成する（露光プロセス）。これを図示しない現像部４１でトナーを付着させて現像し、可視像であるトナー像を得ている（現像プロセス）。次に、電気力によりトナーを感光ドラムから用紙に転写し（転写プロセス）、さらに用紙に転写されたトナーを熱や圧力により用紙上に固定することで印刷画像を得ている（定着プロセス）。
すなわち、トナーセンサ４３は、エンジン部４０における現像プロセスにより得られたトナー像をセンシングして、そのトナー濃度を画像処理部３３へ出力している。
【００４１】
次に、本実施形態に係る画像形成装置の印字処理時の全体動作について、図３を参照して説明する。
図３は、本実施形態に係る画像形成装置の印字処理時の全体動作を示したフローチャートである。
はじめに、制御手段３０は、入力手段２１から印刷コマンドが入力されたか否かを判断する（ステップＳ３０１）。
ステップＳ３０１で、印刷コマンドが入力されたと判断した場合には、画像処理部３３のユーザ任意スクリーン検出部３３−１が、入力された印刷コマンドにユーザ任意のスクリーン情報が含まれているか否かを判断する（ステップＳ３０２）。
【００４２】
ステップＳ３０２で、ユーザ任意スクリーンが印刷コマンドに含まれていると判断された場合には、入出力特性補正機能部３３−３の処理を用いてユーザ任意スクリーン設定時の入出力特性を算出し、ユーザ任意スクリーン用のガンマ補正データを算出する（ステップＳ３０３）。
次いで、ガンマ補正データ更新部３３−４は、ステップＳ３０３で算出されたガンマ補正データを入出力特性のガンマ補正用データとして設定する（ステップＳ３０４）。
一方、ステップＳ３０２で、ユーザ任意スクリーンが印刷コマンドに含まれていないと判断された場合、すなわち、レディメードスクリーンが印刷コマンドに含まれている場合には、そのレディメードスクリーンに対応する予め設定されたレディメードスクリーン用ガンマ補正データを記憶部３４から抽出し、入出力特性のガンマ補正用データとして設定する（ステップＳ３０５）。
【００４３】
ステップＳ３０４，ステップＳ３０５により入出力特性の補正用データが設定された後、制御手段３０は、外乱が無視できるか否かを判断する（ステップＳ３０６）。
ステップＳ３０６での判断の結果、外乱が無視できないようであればキャリブレーション処理を実行（ステップＳ３０７）した後、再度、ステップＳ３０６の判断を行う。
ステップＳ３０６の判断の結果、外乱が無視できるようであれば、ガンマ補正データ、又は更にキャリブレーション処理により補正された入出力特性が得られるように、入力された画像データを出力可能な描画データに変換する（ステップＳ３０８）。
そして、ステップＳ３０８で得られた描画データに基づく印刷処理をエンジン部４０に実行させる（ステップＳ３０９）。
【００４４】
ここで、ステップＳ３０６における外乱と補正処理との関係について、詳しく説明する。
ガンマ補正処理では、標準の画像形成装置の素特性から算出したガンマ補正データにより、任意の画像形成装置の入出力特性を目標の入出力特性になるように補正するので、目標の入出力特性との間には誤差（外乱）が少なからず生じている。したがって、通常は入出力特性のガンマ補正だけでは良好な出力画像を得ることができないため、ガンマ補正処理後には、キャリブレーション処理が一度は必要となる。
ただし、ユーザ任意スクリーンを設定した時には、そもそも実使用の画像形成装置に特定され、そのユーザ任意スクリーンに対する入出力特性を測定するものであるから、外乱は無視できるものとしてガンマ補正処理のみで補正処理を終了しても十分に良好な出力画像を得ることができる。
【００４５】
なお、レディメードスクリーンを設定した場合においても、画像形成装置に付属のトナーセンサの測定に基づいて得られた入出力特性をガンマ補正処理，キャリブレーション処理しても良いが、画像形成装置に付属のトナーセンサは概して精度が低いため、別途正確に測定することのできる分光測色計などの測定器を使ったガンマ補正処理を行うのが通常である。
【００４６】
さらに、これら補正処理について図面を参照しながら以下に説明する。
図４は、本実施形態に係る画像形成装置の補正処理を概念的に示した模式図である。
図４（ａ）は、ガンマ補正処理に関する補正処理を概念的に示したものであり、図４（ａ）の上段は、入力値（任意の画像形成装置における入力画像データ）を、入出力特性補正データ（標準の画像形成装置に対して設定された補正データ）により補正して得られる出力値（描画データ）は、外乱を含んでしまうため、目標の入出力特性は得られず微妙に異なってしまうことが多いことを示している。そもそも入出力特性の補正データは複数サンプルの標準値からなるため、実機特性には多少なりとも必ず外乱が含まれてしまう。
【００４７】
また、図４（ａ）の下段には、測定値である標準画像形成装置の入出力特性（素特性）と、設計値である入出力特性（目標特性）との比較演算により得られた補正データによる入出力特性を求めておき、これを介して入力画像データを画像処理することにより目標の入出力特性に補正することができる。
【００４８】
次に、図４（ｂ）は、キャリブレーション処理を概念的に示したものであり、図４（ｂ）の上段は、測定値が、素特性を補正する補正データの標準的なもので、すでにガンマ補正処理はされているが、外乱を含んでしまい、目標の理想特性とは微妙に異なってしまうことを示している。
また、図４（ｂ）の下段には、上段の測定値と理想特性を有する設計値との比較演算により得られた補正データを介して、任意画像形成装置における入力画像データ画像変換することにより、より目標に近似した入出力特性となる描画データが得られることを示している。
【００４９】
次に、本実施形態に係る画像形成装置において、特徴となるガンマ補正処理の動作について、図面を参照しながら説明する。
図５は、本実施形態に係る画像形成装置のガンマ補正処理の動作を示したフローチャートである。
図５におけるフローチャートは、上述した画像形成装置の全体動作の説明で参照した図３のステップＳ３０３に該当する処理である。
【００５０】
すなわち、ユーザ任意スクリーン検出部３３−１は、そのスクリーン情報を入出力特性算出制御部３３−２へ出力する（ステップＳ５０１）。
入出力特性算出制御部３３−２は、ユーザ任意スクリーン検出部３３−１からスクリーン情報が入力されると、これに応じてこのスクリーン情報とともに入出力特性算出指令を入出力特性補正機能部３３−３に出力する（ステップＳ５０２）。
入出力特性補正機能部３３−３は入出力特性算出指令が入力されると、スクリーン構造解析・判定部３３−３ａにて、入力されたスクリーン情報のスクリーン形状、角度等の素性を解析し、この解析したスクリーン素性情報をスクリーン設定部３３−３ｂへ出力するとともに、ガンマ補正データ設定部３３−３ｃにガンマ補正データ設定要求を通知する（ステップＳ５０３）。
【００５１】
スクリーン設定部３３−３ｂは、スクリーン構造解析・判定部３３−３ａからスクリーン素性情報が入力されると、このスクリーン素性情報に基づくユーザ任意スクリーンを設定する（ステップＳ５０４）。
そして、パッチ作成部３３−３ｄは、スクリーン設定部３３−３ｂにより設定されたユーザ任意スクリーンを用いて、段階的に濃度を変化させた複数のカラーパッチ画像データを作成する（ステップＳ５０５）。
また、ガンマ補正データ設定部３３−３ｃは、ステップＳ５０３で、スクリーン構造解析・判定部３３−３ａからガンマ補正データ設定要求が入力されると、記憶部３４に予め記憶されている所定の素特性測定用のガンマ補正データを読み出して、入出力特性補正機能部３３−３における補正処理の補正処理用データとして設定する（ステップＳ５０６）。
【００５２】
パッチ現像指示部３３−３ｅは、ガンマ補正データ設定部３３−３ｃにより素特性測定用のガンマ補正データが補正処理の補正データとして設定されると、この設定条件のもとにパッチ作成部３３−３ｄで作成された複数のカラーパッチ画像の現像を現像部４１に指示する（ステップＳ５０７）。
また、パッチ現像指示部３３−３ｅは、現像されたインク画像をトナーセンサ４３により読み取らせ、複数のカラーパッチに対応した複数のインク画像データを取得する（ステップＳ５０８）。
次いで、入出力特性把握演算部３３−３ｆは、複数のカラーパッチ画像データと、これをパッチ現像指示部３３−３ｅの指示により現像し、トナーセンサ４３により読み取られた複数のインク画像データとを比較することにより、ユーザ任意スクリーン設定時の入出力素特性を算出する（ステップＳ５０９）。
【００５３】
ステップＳ５０９で、ユーザ任意スクリーン設定時の入出力素特性が算出されると、ガンマ補正データ取得部３３−３ｇは、この入出力素特性と、予め設定されている目標入出力特性との比較に基づいて、ユーザ任意スクリーンの設定時用のガンマ補正データを算出する（ステップＳ５１０）。
【００５４】
以上の動作により、本実施形態に係る画像形成装置は、ユーザ任意スクリーンが入力された場合に、そのスクリーン設定条件下における入出力特性をガンマ補正処理するためのガンマ補正データを算出することができる。
【００５５】
以上説明したように、本実施形態に係る画像形成装置によれば、ユーザ任意スクリーンがユーザ任意スクリーン検出部３３−１により検出されると、入出力特性補正機能部３３−３による処理を利用してユーザ任意スクリーンの設定時の入出力特性を算出するので、ガンマ補正データ取得部３３−３ｇは、この入出力特性と目標入出力特性との比較に基づいてユーザ任意スクリーンの設定時用のガンマ補正データを算出することができる。
また、ガンマ補正データ更新部３３−４が、既存のガンマ補正データに替えて、入出力特性算出制御部３３−２の制御により算出されたガンマ補正データを、入出力特性補正機能部３３−３におけるガンマ補正処理の補正処理用データとして設定するため、補正処理部３３−３ｈは、ガンマ補正データ更新部３３−４により更新された補正処理用データに基づいて入出力特性を補正することが可能となる。
このため、ユーザ任意スクリーンが設定された場合には、そのユーザ任意スクリーンに適応した入出力特性が得られ、印字処理を行えばユーザの所望する色合いを表現した印刷物を得ることができる。
【００５６】
以上、本発明の画像形成装置について、好ましい実施形態を示して説明したが、本発明に係る画像形成装置は、上述した実施形態にのみ限定されるものではなく、本発明の範囲で種々の変更実施が可能であることは言うまでもない。
例えば、上記実施の形態に係る画像形成装置においては、補正処理部３３−３ｈは、画像処理部３３における入出力特性補正機能部３３−３の内部構成の一つとして説明をしているが、これに限るものではなく、入出力特性機能部３３−３から独立した構成としてもよく、この場合にあっても同様の効果を得ることができる。
【００５７】
また、上記実施形態に係る画像形成装置は、制御プログラムに制御される画像形成装置により実行することができる。画像形成装置の制御プログラムは、例えば、記録媒体により提供される。記録媒体としては、例えば、磁気ディスク、光ディスク、半導体メモリ、その他画像形成装置で読み取り可能な任意の手段を使用することができる。
また、記録媒体に記録された画像形成装置の制御プログラムは、記録媒体を直接画像形成装置に装着して当該画像形成装置に読み込ませることができ、また、通信回線を介して画像形成装置に読み込ませるようにしても良い。
【産業上の利用可能性】
【００５８】
入出力特性補正機能を有し、且つ、ユーザ任意のスクリーンを設定することのできる画像形成装置に好適に利用することができる。
【図面の簡単な説明】
【００５９】
【図１】本発明の実施形態に係る画像形成装置の全体構成図である。
【図２】本発明の実施形態に係る画像形成装置の画像処理部の内部構成図である。
【図３】本発明の実施形態に係る画像形成装置の印字処理時の全体動作を示したフローチャートである。
【図４】本発明の本実施形態に係る画像形成装置の補正処理を概念的に示した模式図である。
【図５】本発明の実施形態に係る画像形成装置のガンマ補正処理の動作を示したフローチャートである。
【図６】従来の画像形成装置における、５×５画素スクリーンを示したものである。
【符号の説明】
【００６０】
１０  画像読取手段
２０  操作パネル
２１  入力手段
２２  表示手段
３０  制御手段
３１  入力制御部
３２  表示制御部
３３  画像処理部
３３−１  ユーザ任意スクリーン検出部（検出手段）
３３−２  入出力特性算出制御部（入出力特性算出制御手段）
３３−３  入出力特性補正機能部
３３−３ａ  スクリーン構造解析・判定部
３３−３ｂ  スクリーン設定部
３３−３ｃ  ガンマ補正データ設定部（ガンマ補正データ設定手段）
３３−３ｄ  パッチ作成部（パッチ作成手段）
３３−３ｅ  パッチ現像指示部（パッチ現像指示手段）
３３−３ｆ  入出力特性把握演算部（入出力特性算出手段）
３３−３ｇ  ガンマ補正データ取得部（ガンマ補正データ取得手段）
３３−３ｈ  補正処理部（補正手段）
３３−４  ガンマ補正データ更新部（ガンマ補正データ更新手段）
３４  記憶部
３５  エンジン制御部
４０  エンジン部
１００  画像形成装置
６００  画素スクリーン
６０１  画素
【図１】
2006019876.tif 000003
【図２】
2006019876.tif 000004
【図３】
2006019876.tif 000005
【図４】
2006019876.tif 000006
【図５】
2006019876.tif 000007
【図６】
2006019876.tif 000008